【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
２つのクランプであって、各クランプは梯子の離間したレールに沿った途中に取り付け可能であり、各クランプは、前記梯子を構造物の一部分に固定するために、構造物の一部分に引っかけるための一対の離間した顎部と、前記構造物の前記一部分を前記顎部の間に固定するための閉じることが可能な少なくとも１つのクローアームとを備える、クランプと、
前記梯子に取り外し可能に取り付けられた一対のトラックであって、各クランプが前記一対のトラックのそれぞれのトラックに沿って摺動可能である、トラックと、
前記各クランプの少なくとも１つのクローアームに連結されて、前記梯子の最下部にいるユーザが前記クランプを開いて前記顎部の間から前記構造物の前記一部分を解放できるようにする少なくとも１つの手動操作アクチュエータとを備える、梯子安全機構。
【請求項２】
前記各クランプが、前記クランプを前記構造物の前記一部分に配置することにより、前記構造物の前記一部分に自動的に固定される、請求項１に記載の梯子安全機構。
【請求項３】
前記少なくとも１つの手動操作アクチュエータにより、前記梯子の最下部にいるユーザが前記各クランプを開いて構造物の前記一部分を受けることができる、請求項１に記載の梯子安全機構。
【請求項４】
前記梯子の最下部にいるユーザが前記梯子の端部からの前記各クランプの距離を調節できるようにする１または複数の手動操作アジャスタをさらに備える、請求項１または３に記載の梯子安全機構。
【請求項５】
前記トラックが、前記梯子の１つまたは複数の段に取り付けられる、請求項１に記載の梯子安全機構。
【請求項６】
前記少なくとも１つのトラックが、前記梯子のレールの外側に取り付けられる、請求項１または５に記載の梯子安全機構。
【請求項７】
前記トラックがＵ字形クランプにより前記梯子の１つまたは複数の段に取り付けられ、前記Ｕ字形クランプが、前記段の周りでの前記Ｕ字形クランプの回転を防止する先端を備える、請求項１、５または６に記載の梯子安全機構。
【請求項８】
前記各クランプが、前記トラックに沿った複数の所定の位置の１つにロック可能なスライダを介して、前記トラックの一つに摺動可能に取り付けられる、請求項１または請求項５〜７のいずれか一項に記載の梯子安全機構。
【請求項９】
前記スライダが、一対のそれぞれのピンの、前記トラック内のそれぞれの開口に対する挿入および引抜きを制御する一対の手動操作アクチュエータを備える、請求項８に記載の梯子安全機構。
【請求項１０】
各ピンが、前記トラック内のそれぞれの開口に位置合わせされたときに、それぞれの付勢要素によりロック位置に独立して付勢される、請求項９に記載の梯子安全機構。
【請求項１１】
前記スライダが、前記スライダがロック位置にあるかロック解除位置にあるかを示す視覚インジケータを備える、請求項８〜１０のいずれか一項に記載の梯子安全機構。
【請求項１２】
前記視覚インジケータが、前記スライダがロック解除位置にあるときに前記スライダの本体の開口を通して見える、前記ピンの着色端部を含む、請求項１１に記載の梯子安全機構。
【請求項１３】
前記少なくとも１つのクローアームが、それぞれのクランプのハウジングに枢動可能に装着され、かつ前記ハウジング内で可動なスライダブロックに枢動可能に装着される、請求項１〜１２のいずれか一項に記載の梯子安全機構。
【請求項１４】
前記少なくとも１つのクローアームが前記ハウジングおよび前記スライダブロックに枢動可能に装着されて、前記少なくとも１つのクローアームの開閉速度が前記スライダブロックの下降または上昇のそれぞれの速度よりも速くなるようにする、請求項１３に記載の梯子安全機構。
【請求項１５】
前記少なくとも１つのクローアームが前記ハウジングに枢動可能に装着されて、前記構造物のサイズに関係なく、前記構造物の前記一部分と前記少なくとも１つのクローアームとの間の間隔が最小になるようにする、請求項１３または１４に記載の梯子安全機構。
【請求項１６】
前記少なくとも１つのクローアームが、可動ピボット、腎臓形カム、ばね作動カムのうちの１つを介して、前記ハウジングに枢動可能に装着される、請求項１３〜１５のいずれか一項に記載の梯子安全機構。
【請求項１７】
ウェッジが前記スライダブロックに係合して、前記スライダブロックおよび前記少なくとも１つのクローアームを定位置にロックする、請求項１３〜１６のいずれか一項に記載の梯子安全機構。
【請求項１８】
前記ウェッジが前記スライダブロックから係合解除されて、前記ウェッジに接続されたロープまたはケーブルなどの前記手動操作アクチュエータを介して前記スライダブロックおよび前記少なくとも１つのクローアームを解放する、請求項１７に記載の梯子安全機構。
【請求項１９】
前記ユーザが前記アクチュエータを操作し続ける必要なく前記ウェッジを係合解除位置に保持する付勢ラッチをさらに備える、請求項１８に記載の梯子安全機構。
【請求項２０】
前記各クランプは、前記それぞれのクランプがロック位置およびロック解除位置にあるときを視覚表示する視覚インジケータを備える、請求項１７〜１９のいずれか一項に記載の梯子安全機構。
【請求項２１】
前記視覚インジケータが、前記ウェッジ側に設けられた２つの着色領域の形であり、前記２つの着色領域の一方または他方が前記クランプの前記ハウジングの開口を通して見えて、前記クランプがロック位置またはロック解除位置にあることを示す、請求項２０に記載の梯子安全機構。
【請求項２２】
前記視覚インジケータが、前記梯子の下段に取り付けられたそれぞれのクリートで複製再現されて、前記それぞれのクランプがロック位置にあるかロック解除位置にあるかを、前記梯子の最下部にいる前記ユーザに示す、請求項２１に記載の梯子安全機構。
【請求項２３】
前記手動操作アクチュエータが、前記梯子の第１の梯子部および第２の梯子部が互いに対して動くときにロープまたはケーブルに略同一の張力を維持する構成において、前記梯子を通して引き回された前記ロープまたはケーブルの形である、請求項１〜２２のいずれか一項に記載の梯子安全機構。
【請求項２４】
前記梯子の上部に取り付け可能な落下保護デバイスをさらに備え、前記落下保護デバイスが、前記ユーザに取り付け可能であり、前記ユーザの落下速度を制限する速度リミッタを備える、請求項１〜２３のいずれか一項に記載の梯子安全機構。
【請求項２５】
前記落下保護デバイスが巻き取り巻き出し安全ラインを備える、請求項２４に記載の梯子安全機構。
【請求項２６】
前記落下保護デバイスのコネクタが前記梯子の最下部に確実にあって、前記ユーザが前記梯子に登る前に前記ユーザに接続されるようにするために、
前記コネクタの一端部に取り付けられ、前記梯子の最下部で、または最下部に向かって他端部に固定されたフライリード、
前記梯子の最下部に、または最下部に向かって固着され、前記コネクタに連結された引き込み式ラインを含む引き込み機構、
前記梯子のレールに装着された、前記コネクタが連結されるロープまたはラインループ、のうちの１つをさらに備える、請求項２５または２６に記載の梯子安全機構。
【請求項２７】
前記安全機構の１つまたは複数の部品を前記梯子に後付けすることができる、請求項１〜２６のいずれか一項に記載の梯子安全機構。
【請求項２８】
各クランプが、前記梯子が取り付けられる前記構造物の一部分に対して略垂直に向けられている、請求項１〜２７のいずれか一項に記載の梯子安全機構。
【請求項２９】
請求項１〜２８のいずれか一項に記載の梯子安全機構を備える梯子。
【請求項３０】
梯子を、構造物の一部分に固定し、および構造物から解放する方法であって、
２つのクランプを梯子に取り付ける工程であって、各クランプは前記梯子の離間したレールに沿った途中に取り付け可能であり、各クランプは、一対の離間した顎部を備え、各クランプは、前記梯子に取り外し可能に装着された一対のトラックのそれぞれのトラックに沿って摺動可能である、工程と、
前記構造物の前記一部分に一対の顎部の各々を引っかける工程と、
前記顎部の間の前記構造物の前記一部分を、前記梯子を固定するために、少なくとも１つのクローアームを閉じることによって、前記構造物の前記一部分に固定する工程と、
前記各クランプの前記少なくとも１つのクローアームに連結された少なくとも１つの手動操作アクチュエータにより前記各クランプの前記顎部の間から前記構造物の前記一部分を解放する工程であって、前記手動操作アクチュエータが前記梯子の最下部から操作可能である工程とを含む、方法。
【手続補正２】
【補正対象書類名】明細書
【補正対象項目名】００１２
【補正方法】変更
【補正の内容】
【００１２】
本発明は、以下を提供する。
［１］梯子を構造物の一部分に固定するために、上記梯子に沿った途中に取り付け可能な少なくとも１つのクランプと、
上記少なくとも１つのクランプに連結されて、上記梯子の最下部にいるユーザが上記少なくとも１つのクランプを開いて構造物の上記一部分を解放できるようにする少なくとも１つの手動操作アクチュエータとを備え、
上記少なくとも１つのクランプが、上記梯子が取り付けられる上記構造物の一部分に対して略垂直に向けられる、梯子安全機構。
［２］上記少なくとも１つのクランプが、上記クランプを上記構造物の上記一部分に配置することにより、上記構造物の上記一部分に自動的に固定される、上記［１］に記載の梯子安全機構。
［３］上記少なくとも１つの手動操作アクチュエータにより、上記梯子の最下部にいるユーザが上記少なくとも１つのクランプを開いて構造物の上記一部分を受けることができる、上記［１］に記載の梯子安全機構。
［４］上記梯子の最下部にいるユーザが上記梯子の端部からの上記少なくとも１つのクランプの距離を調節できるようにする手動操作アジャスタをさらに備える、上記［１］または［３］に記載の梯子安全機構。
［５］上記梯子に取外し可能に取り付けられて、上記少なくとも１つのクランプがそれに沿って摺動可能な少なくとも１つのトラックをさらに備える、上記［１］〜［４］のいずれか一項に記載の梯子安全機構。
［６］上記少なくとも１つのトラックが、上記梯子の１つまたは複数の段に取り付けられる、上記［５］に記載の梯子安全機構。
［７］上記少なくとも１つのトラックが、上記梯子のレールの外側に取り付けられる、上記［５］または［６］に記載の梯子安全機構。
［８］上記少なくとも１つのトラックがＵ字形クランプにより上記梯子の１つまたは複数の段に取り付けられ、上記Ｕ字形クランプが、上記段の周りでの上記Ｕ字形クランプの回転を防止する先端を備える、上記［５］〜［７］のいずれか一項に記載の梯子安全機構。
［９］上記少なくとも１つのクランプが、上記少なくとも１つのトラックに沿った複数の所定の位置の１つにロック可能なスライダを介して、上記少なくとも１つのトラックに摺動可能に取り付けられる、上記［５］〜［８］のいずれか一項に記載の梯子安全機構。
［１０］上記スライダが、一対のそれぞれのピンの、上記トラック内のそれぞれの開口に対する挿入および引抜きを制御する一対の手動操作アクチュエータを備える、上記［９］に記載の梯子安全機構。
［１１］各ピンが、上記トラック内のそれぞれの開口に位置合わせされたときに、それぞれの付勢要素によりロック位置に独立して付勢される、上記［１０］に記載の梯子安全機構。
［１２］上記スライダが、上記スライダがロック位置にあるかロック解除位置にあるかを示す視覚インジケータを備える、上記［９］〜［１１］のいずれか一項に記載の梯子安全機構。
［１３］上記視覚インジケータが、上記スライダがロック解除位置にあるときに上記スライダの本体の開口を通して見える、上記ピンの着色端部を含む、上記［１２］に記載の梯子安全機構。
［１４］上記少なくとも１つのクランプが、上記構造物の上記一部分を受ける一対の離間した顎部と、上記構造物の上記一部分を上記クランプ内に固定する少なくとも１つのクローアームとを備える、上記［１］〜［１３］のいずれか一項に記載の梯子安全機構。
［１５］上記少なくとも１つのクローアームが、上記クランプのハウジングに枢動可能に装着され、かつ上記ハウジング内で可動なスライダブロックに枢動可能に装着される、上記［１４］に記載の梯子安全機構。
［１６］上記少なくとも１つのクローアームが上記ハウジングおよび上記スライダブロックに枢動可能に装着されて、上記少なくとも１つのクローアームの開閉速度が上記スライダブロックの下降または上昇のそれぞれの速度よりも速くなるようにする、上記［１５］に記載の梯子安全機構。
［１７］上記少なくとも１つのクローアームが上記ハウジングに枢動可能に装着されて、上記構造物のサイズに関係なく、上記構造物の上記一部分と上記少なくとも１つのクローアームとの間の間隔が最小になるようにする、上記［１５］または［１６］に記載の梯子安全機構。
［１８］上記少なくとも１つのクローアームが、可動ピボット、腎臓形カム、ばね作動カムのうちの１つを介して、上記ハウジングに枢動可能に装着される、上記［１５］〜［１７］のいずれか一項に記載の梯子安全機構。
［１９］ウェッジが上記スライダブロックに係合して、上記スライダブロックおよび上記少なくとも１つのクローアームを定位置にロックする、上記［１５］〜［１８］のいずれか一項に記載の梯子安全機構。
［２０］上記ウェッジが上記スライダブロックから係合解除されて、上記ウェッジに接続されたロープまたはケーブルなどの上記手動操作アクチュエータを介して上記スライダブロックおよび上記少なくとも１つのクローアームを解放する、上記［１９］に記載の梯子安全機構。
［２１］上記ユーザが上記アクチュエータを操作し続ける必要なく上記ウェッジを係合解除位置に保持する付勢ラッチをさらに備える、上記［２０］に記載の梯子安全機構。
［２２］上記クランプは、上記クランプがロック位置およびロック解除位置にあるときを視覚表示する視覚インジケータを備える、上記［１９］〜［２１］のいずれか一項に記載の梯子安全機構。
［２３］上記視覚インジケータが、上記ウェッジ側に設けられた２つの着色領域の形であり、上記２つの着色領域の一方または他方が上記クランプの上記ハウジングの開口を通して見えて、上記クランプがロック位置またはロック解除位置にあることを示す、上記［２２］に記載の梯子安全機構。
［２４］上記視覚インジケータが、上記梯子の下段に取り付けられたそれぞれのクリートで複製再現されて、上記それぞれのクランプがロック位置にあるかロック解除位置にあるかを、上記梯子の最下部にいる上記ユーザに示す、上記［２３］に記載の梯子安全機構。
［２５］上記手動操作アクチュエータが、上記梯子の第１の梯子部および第２の梯子部が互いに対して動くときにロープまたはケーブルに略同一の張力を維持する構成において、上記梯子を通して引き回された上記ロープまたはケーブルの形である、上記［１］〜［２４］のいずれか一項に記載の梯子安全機構。
［２６］上記梯子の上部に取り付け可能な落下保護デバイスをさらに備え、上記落下保護デバイスが、上記ユーザに取り付け可能であり、上記ユーザの落下速度を制限する速度リミッタを備える、上記［１］〜［２５］のいずれか一項に記載の梯子安全機構。
［２７］上記落下保護デバイスが巻き取り巻き出し安全ラインを備える、上記［２６］に記載の梯子安全機構。
［２８］上記落下保護デバイスのコネクタが上記梯子の最下部に確実にあって、上記ユーザが上記梯子に登る前に上記ユーザに接続されるようにするために、
上記コネクタの一端部に取り付けられ、上記梯子の最下部で、または最下部に向かって他端部に固定されたフライリード、
上記梯子の最下部に、または最下部に向かって固着され、上記コネクタに連結された引き込み式ラインを含む引き込み機構、
上記梯子のレールに装着された、上記コネクタが連結されるロープまたはラインループ、のうちの１つをさらに備える、上記［２６］または［２７］に記載の梯子安全機構。
［２９］上記梯子の下部に取り付け可能な安定装置をさらに備える、上記［１］〜［２８］のいずれか一項に記載の梯子安全機構。
［３０］上記安定装置が、上記梯子に対する上記安定装置の角度を調節する１つまたは複数の可変長さコネクタを備える、上記［２９］に記載の梯子安全機構。
［３１］上記安全機構の１つまたは複数の部品を上記梯子に後付けすることができる、上記［１］〜［３０］のいずれか一項に記載の梯子安全機構。
［３２］上記［１］〜［３１］のいずれか一項に記載の梯子安全機構を備える梯子。
本発明の実施形態は、一般に、安全機構、特に梯子安全機構に関する。